(57)【要約】【課題】カレンダー時計におけるカレンダー窓からの文字の視認性を良くする。【解決手段】文字板２４上にカレンダー窓２６を設け、前記文字板２４の下面に、周辺部に１〜３１までの日付文字２９を記した日車２８などを配置し、前記日車２８などを日毎に回転させて前記カレンダー窓２６に、前記日付文字２９などを覗かせることによって、日付などの表示を行うカレンダー時計２０において、前記カレンダー窓２６は四辺で構成され、該四辺のうちの横方向の二辺がそれぞれ所定の曲率を有する曲線からなり、前記カレンダー窓の外側に向かって膨らむ形状にする。日付文字２９などの表示面積が広くなり、日付文字２９などの文字を大きくすることができて、文字の視認性が良くなる。【選択図】        図１
2004279381.tif 000002
【特許請求の範囲】
【請求項１】
文字板上にカレンダー窓を設け、前記文字板の下面に、周辺部に１〜３１までの日付文字を記した日車などを配置し、前記日車などを日毎に回転させて前記カレンダー窓に、前記日付文字などを覗かせることによって、日付などの表示を行うカレンダー時計において、
前記カレンダー窓は四辺で構成され、該四辺のうちの横方向の二辺がそれぞれ所定の曲率を有する曲線からなり、前記カレンダー窓の外側に向かって膨らむ形状をなしていることを特徴とするカレンダー時計。
【請求項２】
文字板上にカレンダー窓を設け、前記文字板の下面に、周辺部に１〜３１までの日付文字を記した日車などを配置し、前記日車などを日毎に回転させて前記カレンダー窓に、前記日付文字などを覗かせることによって、日付などの表示を行うカレンダー時計において、
前記カレンダー窓は四辺で構成され、該四辺のうちの横方向の二辺と、縦方向の辺で前記文字板の外周側の一辺がそれぞれ所定の曲率を有する曲線からなり、前記カレンダー窓の外側に向かって膨らむ形状をなしていることを特徴とするカレンダー時計。
【請求項３】
文字板上にカレンダー窓を設け、前記文字板の下面に、周辺部に１〜３１までの日付文字を記した日車などを配置し、前記日車などを日毎に回転させて前記カレンダー窓に、前記日付文字などを覗かせることによって、日付などの表示を行うカレンダー時計において、
前記カレンダー窓は四辺で構成され、該四辺のうちの横方向の二辺と、縦方向の辺で前記文字板の外周側の一辺がそれぞれ所定の曲率を有する曲線からなって、前記カレンダー窓の外側に向かって膨らむ形状をなし、縦方向の辺で前記文字板の中心側の一辺は所定の曲率を有する曲線からなって、前記カレンダー窓の内側に向かって膨らむ形状をなしていることを特徴とするカレンダー時計。
【請求項４】
前記カレンダー窓の縁周囲に窓枠を設けてあることを特徴とする請求項１、２、３のいずれか１つに記載のカレンダー時計。
【請求項５】
前記カレンダー窓の内周に沿って、所定の幅で外側に向かって段部を設けてあることを特徴とする請求項１、２、３のいずれか１つに記載のカレンダー時計。
【請求項６】
前記カレンダー窓の内周壁は下面側から上面側に向かって広がる斜面形状に形成されていることを特徴とする請求項１、２、３のいずれか１つに記載のカレンダー時計。
【請求項７】
前記カレンダー窓の曲線からなる横方向の二辺の曲率半径は４．０〜６．０ｍｍであることを特徴とする請求項１、２、３のいずれか１つに記載のカレンダー時計。
【請求項８】
前記カレンダー窓の曲線からなる縦方向の辺のうち、文字板の外周側の辺の曲率半径は、前記日車などの外径の曲率半径より小さく、且つ、外周側の辺が日車などの外径より外に飛び出さない範囲の大きさの曲率半径であることを特徴とする請求項２又は３に記載のカレンダー時計。
【請求項９】
前記カレンダー窓の曲線からなる縦方向の辺のうち、文字板の中心側の辺の曲率半径は、前記日車などの歯元径の曲率半径より大きく、且つ、中心側の辺が日車などの歯元径より外（中心方向）に飛び出さない範囲の大きさの曲率半径であることを特徴とする請求項３に記載のカレンダー時計。
【発明の詳細な説明】
【０００１】
【発明の属する技術分野】
本発明は、日付表示や曜日表示を有するカレンダー時計に関し、特に日付文字や曜日文字の視認性に優れたカレンダー時計に関する。
【０００２】
【従来の技術】
従来から、文字板上のカレンダー窓に日付や曜日を表示するタイプのカレンダー時計がある。このカレンダー時計は、文字板の下面側で日車や曜車を日毎に回転させて日車や曜車に形成した日付文字や曜日文字を文字板上のカレンダー窓から覗かせるものである。このタイプのカレンダー時計は、その構造上、文字の大きさがやや小さ目となって、文字が見難いものとなっていた。特に、高齢者などの視力の弱い方においては、判読できないと云う問題があった。そこで、今までに、視認性向上のために種々の工夫がなされてきた。その一例として、特許文献１において、次のような開示があった。これは、図８に示すように、カレンダー窓１の形状を、縦方向の二辺が平行で、四辺の長さが異なる近似菱形形状にしている。このような窓形状にすることで、日車１２上における日付文字１３記入のための有効面積を増やしている。
【０００３】
更にまた、文字板の３時〜５時の位置に、窓１を設置することによって、日付文字１３の右側のスペースが、特に大きく増える。このとき、１０〜３１までの数にあっては、十位の桁の１，２，３，・・・の数について、一位の桁よりやや小さめになるが、このことはかえって一位の数を強調することになり、例えば、今日が１３日か１４日か判読する場合、人間工学的には十位の１については無意識に見ており、３か４かが判別できれば、全体として１３日か１４日かを咄嗟に知ることができる。そのため、日付文字が見やすく、日付の視認性が非常に向上する。
【０００４】
【特許文献１】
特開昭５１−９１７５９号公報（第２−３頁、第４図）
【０００５】
【発明が解決しようとする課題】
しかしながら、特許文献１に開示されている技術については、窓（カレンダー窓）の形状が、縦方向の二辺が平行で、四辺の長さの異なる近似菱形形状であると云う、非常に特異な形状をしている。このため、デザインに制約がなされ、汎用性に欠けるものとなっていた。また、一位の桁の数字に比べ、十位の桁の数字の縦幅が狭く、両数字の縦方向に対するバランスが悪く表示されるため、全体的に日付文字が極めて読みにくいと云う問題を有していた。
【０００６】
本発明は、上記問題に鑑みてなされたもので、その目的とするところは、日付などの文字の視認性に優れたカレンダー時計を提供すること、カレンダー窓のデザインに汎用性のあるカレンダー時計を提供すること、文字（数字など）を大きくすること、などである。
【０００７】
【課題を解決するための手段】
上記の課題を解決するために、本発明の請求項１記載に係るカレンダー時計は、文字板上にカレンダー窓を設け、前記文字板の下面に、周辺部に１〜３１までの日付文字を記した日車などを配置し、前記日車などを日毎に回転させて前記カレンダー窓に、前記日付文字などを覗かせることによって、日付などの表示を行うカレンダー時計において、前記カレンダー窓は四辺で構成され、該四辺のうちの横方向の二辺がそれぞれ所定の曲率を有する曲線からなり、前記カレンダー窓の外側に向かって膨らむ形状をなしていることを特徴とするものである。
【０００８】
横方向の二辺を外側に向かって膨らむ曲線形状にすれば、日車の日付表示面積を縦方向に大きく取れるようになり、日付文字を縦方向に大きくすることができる。そして、それによって日付文字が見やすくなり、視認性が高まる。
【０００９】
また、本発明の請求項２記載に係るカレンダー時計は、文字板上にカレンダー窓を設け、前記文字板の下面に、周辺部に１〜３１までの日付文字を記した日車などを配置し、前記日車などを日毎に回転させて前記カレンダー窓に、前記日付文字などを覗かせることによって、日付などの表示を行うカレンダー時計において、前記カレンダー窓は四辺で構成され、該四辺のうちの横方向の二辺と縦方向の辺で前記文字板の外周側の一辺がそれぞれ所定の曲率を有する曲線からなり、前記カレンダー窓の外側に向かって膨らむ形状をなしていることを特徴とするものである。
【００１０】
横方向の二辺と縦方向の辺で文字板の外周側の一辺を窓の外側に向かって膨らむ曲線形状にすれば、日車の日付表示面積を縦方向、横方向共に大きく取れるようになり、日付文字を縦方向と横方向に大きくすることができる。そして、それによって日付文字が見やすくなり、視認性が高まる。
【００１１】
また、本発明の請求項３記載に係るカレンダー時計は、文字板上にカレンダー窓を設け、前記文字板の下面に、周辺部に１〜３１までの日付文字を記した日車などを配置し、前記日車などを日毎に回転させて前記カレンダー窓に、前記日付文字などを覗かせることによって、日付などの表示を行うカレンダー時計において、前記カレンダー窓は四辺で構成され、該四辺のうちの横方向の二辺と縦方向の辺で前記文字板の外周側の一辺がそれぞれ所定の曲率を有する曲線からなって、前記カレンダー窓の外側に向かって膨らむ形状をなし、前記縦方向の辺で前記文字板の中心側の一辺は所定の曲率を有する曲線からなって、前記カレンダー窓の内側に向かって膨らむ形状をなしていることを特徴とするものである。
【００１２】
横方向の二辺と縦方向の辺で文字板の外周側の一辺を窓の外側に向かって膨らむ曲線形状にし、縦方向の辺で文字板の中心側の一辺を窓の内側に向かって膨らむ曲線形状にすれば、日車の日付表示面積を横方向及び縦方向に大きく取れるようになり、日付文字を縦横方向に大きくすることができる。そして、それによって日付文字が見やすくなり、視認性が高まる。また、窓の四辺が共に曲線で形成されているとバランスの取れた窓のデザインが得られ、デザイン効果を高め、デザインバリエーションの広いカレンダー時計を得る。
【００１３】
また、本発明の請求項４記載に係るカレンダー時計は、カレンダー窓の縁周囲に窓枠を設けてあることを特徴とするものである。
【００１４】
カレンダー窓に窓枠を設けることによって、窓の輪郭を鮮明にして外観的品質を高める。特に、貴金属メッキを施した窓枠などを設けると高級感も現れる。また、カレンダー時計のデザインバリエーションを広げることができる。
【００１５】
また、本発明の請求項５記載に係るカレンダー時計は、カレンダー窓の内周に沿って、所定の幅で外側に向かって段部を設けてあることを特徴とするものである。
【００１６】
窓に段部を設けることによって、日車の日付文字を設けた部分が広く、良く見えるようになり、これにより文字自体が鮮明に大きく見える感覚を与える。また、デザインバリエーションも広まる。
【００１７】
また、本発明の請求項６記載に係るカレンダー時計は、カレンダー窓の内周壁は下面側から上面側に向かって広がる斜面形状に形成されていることを特徴とするものである。
【００１８】
窓を上面側に向かって広がる斜面形状に形成することによって、日車の日付文字を設けた部分が広く、良く見えるようになり、これにより文字自体が鮮明に大きく見える感覚を与える。また、デザインバリエーションも広まる。
【００１９】
また、本発明の請求項７記載に係るカレンダー時計は、カレンダー窓の横方向の曲線からなる二辺の曲率半径は４．０〜６．０ｍｍであることを特徴とするものである。
【００２０】
曲率半径が６．０ｍｍより大きいと、見た目、日付文字の表示面積が広くなった感覚を与えない。また、４．０ｍｍより小さいと隣接の日付文字が見えてくるようになる。表示面積が広くなった感覚を与えて、且つ、隣接文字が見えないところの好適な曲率半径は４．０〜６．０ｍｍの範囲である。
【００２１】
また、本発明の請求項８記載に係るカレンダー時計は、カレンダー窓で、曲線からなる縦方向の辺のうち、文字板の外周側の辺の曲率半径は、前記日車などの外径の曲率半径より小さく、且つ、外周側の辺が日車などの外径より外に飛び出さない範囲の大きさの曲率半径であることを特徴とするものである。
【００２２】
窓の外側の辺の曲率半径を、日車などの外径の曲率半径より大きくしたのでは窓の横方向の面積はさほど広がらない。日車などの外径の曲率半径より小さくして、且つ、外径より飛び出さない範囲の大きさに曲率半径を設定すれば、窓は相当広くできる。しかも、窓からは日車だけが見える。
【００２３】
また、本発明の請求項９記載に係るカレンダー時計は、カレンダー窓で、曲線からなる縦方向の辺のうち、文字板の中心側の辺の曲率半径は、前記日車などの歯元径の曲率半径より大きく、且つ、中心側の辺が日車などの歯元径より外に飛び出さない範囲の大きさの曲率半径であることを特徴とする
【００２４】
窓の中心側の辺の曲率半径を、日車などの歯元径の曲率半径より小さくしたのでは窓の横方向の面積はさほど広がらない。歯元径の曲率半径より大きくして、且つ、歯元径より外（中心方向）に飛び出さない範囲の大きさに曲率半径を設定すれば、窓は相当広くできる。しかも、窓からは日車だけが見える。
【００２５】
【発明の実施の形態】
以下、本発明の実施の形態について、図１〜７をもって説明する。ここで、図１は本発明の第１実施形態に係るカレンダー時計の平面図、図２は図１におけるカレンダー窓部分の拡大平面図（ａ）と拡大断面図（ｂ）、図３は図２における窓枠の他の形状を示す断面図、図４は本発明の第２実施形態に係るカレンダー時計のカレンダー窓部分の拡大平面図（ａ）と断面図（ｂ）、図５は図４におけるカレンダー窓部分の透視図、図６は本発明の第３実施形態に係るカレンダー時計のカレンダー窓部分の拡大平面図（ａ）と断面図（ｂ）、図７は図６におけるカレンダー窓部分の透視図を示したものである。
【００２６】
図１、図２より、本発明の第１実施形態に係るカレンダー時計２０は、ケース２１に文字板２４、指針２２が取り付けられて、その上を透明なカバーガラスが覆っている。また、ケース２１の図中右横にはリューズ２３が取り付いている。文字板２４には時字を示す指標２５が取り付けられていて、カレンダー窓２６が図中右側に設けられている。このカレンダー窓２６は文字板２４に穴をあけたものであり、その下面側に配設した日車２８の日付文字２９が見えるようにしたものである。図中では１６の日付文字が見えている。尚、図１に示すカレンダー時計２０はバンドなどは省略してある。
【００２７】
図２の（ａ）図はカレンダー窓部の拡大図である。また、図２の（ｂ）図は、（ａ）のＡ−Ａ断面図を示している。文字板２４のカレンダー窓２６は見て分かるように樽型の形状を成している。カレンダー窓２６は、図中上下にある横方向の二辺２６ａ、２６ｂと左右の縦の二辺、即ち文字板中心側の辺２６ｃと文字板外周側の辺２６ｄの四辺から形成されている。そして、横方向の二辺２６ａ、２６ｂは窓２６から外側に向かって曲線をなして膨らんで形成されている。また、左右の縦の二辺２６ｃ、２６ｄは直線状に形成されている。
【００２８】
また、このカレンダー窓２６には窓枠２７が窓の縁周囲に設けられている。この窓枠２７は樽型を成すカレンダー窓２６の外周縁に沿って一定の幅で設けられている。
【００２９】
カレンダー窓２６の中に表示された１６の数字は日付文字２９である。この日付文字２９は、文字板２４の下面で、カレンダー窓２６の周辺部に配設された日車２８に設けられている。日車２８は内歯の付いたリング状の平板でできており、その上面に１〜３１の数字（３１日分の数字）が印刷などの公知の方法で形成されている。日毎に少しづつ回転して、その日の日付をカレンダー窓２６から表示するようになっている。
【００３０】
上記カレンダー窓２６の上下の横方向の二辺２６ａ、２６ｂは同じ曲率半径ｒ１で外側に膨らんでいる。携帯時計の場合、カレンダー窓の縦、横の寸法は、男持ち、女持ちによって多少異なるが、概ね、縦１．４〜２．０ｍｍ、横１．９〜２．９ｍｍの範囲で設計される。このような寸法値の下では、二辺２６ａ、２６ｂの曲率半径ｒ１を４．０〜６．０ｍｍの範囲に設計するのが好適である。上下の横方向の二辺２６ａ、２６ｂが同じ曲率半径ｒ１の下で外側に膨らんだカレンダー窓２６は、縦幅Ｈに対して上下の中央部は２ｈ寸法分大きくなる。従って、カレンダー窓２６から見える日付文字２９の表示面積が縦方向に広くなって、日付文字２９の高さを高くして大きく表示することができる。
【００３１】
曲率半径ｒ１が６．０ｍｍより大きいと、表示面積が広くなったと感じない範囲となり、日付文字２９の大きさは殆ど変えられない。また、曲率半径ｒ１が４．０ｍｍより小さいと、両隣りの日付文字が窓２６から見えるようになってしまう。曲率半径ｒを４．０〜６．０ｍｍの範囲に設けると、表示面積が広くなったと感じる。
【００３２】
更にまた、表示面積が広くなると、即ち、文字の周りが広く見えてくると、文字の輪郭がはっきり見えるようになり、文字そのものが目立つようになる。特に、文字の色と地（文字を形成している地）の色とのコントラストが高いものであるなら尚更に文字が鮮明になってはっきり見えてくる。
【００３３】
カレンダー窓２６の上下の横方向の二辺２６ａ、２６ｂを外側に膨らませて樽型のような形状にすることによって、上記述べたように、表示面積が広くなって日付文字２９を縦に大きくすることができる。そして、視認性を高めることができる。また、日付文字２９の周りも広く見えることから、日付文字２９の色調と日車２８の地の色調とのコントラストを高めることもできて、日付文字２９を鮮明にし、視認性を高めることができる。また、デザイン的にもバランスの取れたカレンダー窓となり、汎用性のあるデザインが得られる。
【００３４】
窓枠２７は装飾目的と日付文字２９を意識的に強調させる目的で設けるものである。本実施の形態ではインクを用いて印刷で形成している。文字板２４の色合い、日付文字２９の色合い、日車２８の色合いなどを見て窓枠２７の色合いを適宜選択するのが好ましい。この窓枠２７として、印刷に代えて、メッキや塗装などが施された金属板を貼付ける方法も取れる。
【００３５】
図３に示すものは、窓枠の他の形状を示したものである。この窓枠２７は金属でできていて、文字板２４のカレンダー窓２６に圧入している。金や銀などの貴金属メッキを施して使用すれば、外観的な品質アップと高級感も現れてくる。このように、窓枠を設けることによって装飾性や高級感なども現れてきて、カレンダー時計としてのバリエーションを広げることができる。
【００３６】
次に、図４及び図５を用いて、本発明の第２実施形態に係るカレンダー時計を説明する。図４は、本発明の第２実施形態に係るカレンダー時計のカレンダー窓部を拡大して示したものである（（ａ）図）。また、（ｂ）図は（ａ）図のＢ−Ｂ断面図を示したものである。また、図５は図４におけるカレンダー窓部分の透視図を示している。このカレンダー時計のカレンダー窓３６は外側に膨らんだ曲線の三辺３６ａ、３６ｂ、３６ｄと直線の一辺３６ｃとで構成されている。ここで、第１実施形態と異なる所は、文字板の外周側の縦の辺３６ｄが一定の曲率半径ｒ２の下で外側に膨らんだ曲線になっていることである。更に、カレンダー窓３６の縁に沿って段部３６ｆが設けられている。
【００３７】
外側に膨らんだ横方向の二辺３６ａ、３６ｂの曲線は、第１実施形態で説明したように、その曲率半径ｒ１が４．０〜６．０ｍｍの範囲で形成されている。また、縦方向の文字板の外周側の辺３６ｄは外側に膨らんでいて、その曲率半径ｒ２は、日付文字２９を形成した日車２８の外径２８ａの曲率半径より小さく、且つ、カレンダー窓３６が日車２８の外径２８ａより飛び出さない範囲の大きさの曲率半径で形成されている。即ち、縦方向の辺３６ｄは、日車２８の外径２８ａの内側に位置し、同一中心を持った略相似形となっている。
【００３８】
図５において、点線枠は文字板３４で、この文字板３４のカレンダー窓３６は強調するために実線で描いている。カレンダー窓３６の下に日車２８が配設されているが、この日車２８は外側に円形の外径２８ａを持ち、内側に歯２８ｃを形成した歯車になっている。
【００３９】
図中、カレンダー窓３６の外周側の辺３６ｄの近くに描いた縦の一点鎖線３６ｄ２は、日車２８の外径２８ａより小さい曲率半径で描いた線である。このことから、辺３６ｄの曲率半径ｒ２を日車２８の外径２８ａの曲率半径より小さく設定したので、カレンダー窓３６の横方向の面積が少し広がった。従って、日車２８の外径２８ａの曲率半径より小さく設定する。また、その小さく設定する目安は、辺３６ｄが日車２８の外径２８ａの外側に飛び出さない程度までに最大限許容できる。図中のものは、辺３６ｄの曲率半径ｒ２を日車２８の外径２８ａに対して飛び出さないように僅かに余裕を持たせた曲率半径にしている。
【００４０】
カレンダーの携帯時計は男持ち、女持ちによって、或いはそれらの種類によって色々な寸法サイズが取られている。また、これに使われる日車も、その外径の曲率半径は小さいものから大きいものまでを含めると５〜２０ｍｍのかなり広範囲に渡って設計されている。このような中で、カレンダー窓の大きさは日車などの表示面に対して多少ゆとりを持たせた形で設計している。このようなことから、時計のモデル別に、辺３６ｄが日車２８の外径２８ａの外側に飛び出さない最大許容できる曲率半径ｒ２をそれぞれ設定することができる。
【００４１】
図に示すように、辺３６ｄの曲率半径ｒ２を日車２８の外径２８ａに対して飛び出さないように僅かに余裕を持たせた曲率半径で設計し、カレンダー窓３６を形成すると、カレンダー窓３６の横方向の面積を広くすることができる。図の斜線部分は広くなった面積のその増加分を示したものである。
【００４２】
以上のべたように、カレンダー窓３６を、上下の横方向の二辺と縦方向の外側の一辺を外側に向かって膨らむ形状に形成すれば、窓の面積はかなり広くなり、日付文字２９が良く見えるようになる。また、窓の面積が広くなるに併せて日付文字を大きくすることができて、視認性を良くすることができる。
【００４３】
カレンダー窓３６の縁に沿って設ける段部３６ｆは、文字板３４の厚みを見た目に感じさせないためと、日付文字２９の表示面が目に良く見えるようにするために設けている。
【００４４】
段部３６ｆがあると、一目で文字板３４の全体厚みを感じ取ることができない。一段目の段部の厚さ、二段目の段部の厚さを見て文字板３４の全体厚み読みとると云うことになり、このような方法は、視覚的に薄く感じさせる作用をなす。このように、段部を設けることによって文字板の厚さを薄く見せつけることができる。
【００４５】
また、段部３６ｆがあると、日付文字２９の表示面が目に良く見える。即ち、日付文字２９ばかりでなくその周りも良く見えようになる。このことは、文字の輪郭がはっきり見えることになって、視認性も良くなる。また、文字の周りが広くなって良く見えるようになってくると、文字の色調と地の色調とのコントラストを高めることもできて、文字を鮮明にし、視認性を高めることができる。
【００４６】
また、段部３６ｆを設けた構成は、デザインバリエーションを増やす。カレンダー窓３６を外側に膨らましたデザインと併せて、デザインのバリエーションを豊にする。
【００４７】
次に、図６、図７を用いて、本発明の第３実施形態に係るカレンダー時計を説明する。図６は、本発明の第３実施形態に係るカレンダー時計のカレンダー窓部を拡大して示したものである（（ａ）図）。また、（ｂ）図は（ａ）図のＣ−Ｃ断面図を示したものである。また、図７は図６におけるカレンダー窓部分の透視図を示している。このカレンダー時計のカレンダー窓４６は外側に膨らんだ曲線の三辺４６ａ、４６ｂ、４６ｄと内側に膨らんだ曲線の一辺４６ｃとで構成されている。ここで、前述した第２実施形態と異なる所は、文字板の中心側の縦の辺４６ｃが一定の曲率半径の下で窓４６の内側に膨らんだ曲線になっていることである。更に、カレンダー窓４６の内周壁が斜面４６ｇ形状に形成されている。
【００４８】
外側に膨らんだ横方向の二辺４６ａ、４６ｂの曲線は、第１実施形態で説明したように、その曲率半径ｒ１は何れも４．０〜６．０ｍｍの範囲で形成されている。また、縦方向の外周側の辺４６ｄの曲線は、前述の第２実施形態で説明したように、その曲率半径ｒ２は日車２８の外径２８ａの曲率半径より小さく、且つ、外周側の辺が日車２８の外径２８ａより外に飛び出さない範囲の大きさの曲率半径で形成されている。また、内側に膨らんだ中心側の辺４６ｃの曲線は、その曲率半径を日車の歯元径の曲率半径より大きく、且つ、中心側の辺が日車の歯元径より外（中心方向）に飛び出さない範囲の大きさの曲率半径で形成されている。
【００４９】
図７において、点線枠は文字板４４で、この文字板４４のカレンダー窓４６は強調するために実線で描いている。また、カレンダー窓４６の下に配設される日車２８は、その内径側に歯２８ｃを有し、その歯元径を２８ｂで示している。
【００５０】
この図から推量できるように、カレンダー窓４６の内側に膨らんだ中心側の辺４６ｃは、その曲率半径ｒ３を歯元径２８ｂの曲率半径より大い曲率半径にしたので、中心側の横方向の面積が少し広がった。従って、その曲率半径ｒ３は歯元径２８ｂの曲率半径より大きく設定する。そして、その大きく設定する目安は、辺４６ｃが日車２８の歯元径２８ｂの外側に飛び出さない程度までに最大限許容できる。図に示したものは、辺４６ｃの曲率半径ｒ３を日車２８の歯元径２８ｂに対して飛び出さないように僅かに余裕を持たせた曲率半径にしている。
即ち、縦方向の辺４６ｃは、日車２８の歯元径２８ｂの内側（日車２８の外径方向）に位置し、同一中心を持った略相似形となっている。
【００５１】
上記設計の下でカレンダー窓４６を形成すると、図中斜線で示したように、中心側の部分で、はっきりと分かる位に面積を広めることができる。また、上記実施例２及び３において、縦方向の辺３６ｄ、４６ｃそれぞれを日車２８の外径と歯元径２８ｂと略相似形としたが、これに限定されるものではなく、自由に曲率半径を変えることができることは言うまでもない。
【００５２】
以上、述べたように、カレンダー窓４６を、上下の横方向の二辺と縦方向の外周側の一辺を外側に向かって膨らませ、中心側の一辺を内側に向かって膨らむ形状に形成すれば、窓の面積はかなり広くなり、日付文字２９が良く見えるようになる。また、窓の面積が広くなるのに併せて日付文字を大きくすることができて、視認性を良くすることができる。
【００５３】
尚、中心側の一辺を外側に向かって許容限度範囲で膨らむ形状にすることもできる。しかしながら、その場合の膨らませる許容限度幅は内側に向かって膨らませる形状の許容限度幅よりはるかに小さい。従って、その広げられる面積は内側に向かって膨らむ形状の面積よりはるかに小さい。
【００５４】
また、カレンダー窓４６の内周壁に傾斜４６ｇを設けると、日付文字２９の表示面が目に良く見える。即ち、日付文字２９ばかりでなくその周りも良く見えようになる。このことは、文字の輪郭がはっきり見えることになって、視認性も良くなる。また、文字の周りが広くなって良く見えるようになってくると、文字の色調と地の色調とのコントラストを高めることもできて、文字を鮮明にし、視認性を高めることができる。
【００５５】
また、カレンダー窓を曲線からなる四辺で構成するデザインは、バランス感覚も取れて、全く違和感を感じさせない。また、窓の内周壁に傾斜を設ける構成もデザインバリエーションを増やす。
【００５６】
以上、本発明のカレンダー時計におけるカレンダー窓の辺を外側に膨らます構成、或いは、一部の辺を内側に膨らます構成について第１実施形態〜第３実施形態をもって説明した。そして、その中にあって、カレンダー窓に窓枠を設ける構成、カレンダー窓の内周壁に段部を設ける構成、傾斜面を設ける構成についても説明した。この窓枠を設ける構成、段部を設ける構成、傾斜面を設ける構成は何れの実施形態にも当てはめることができる。
【００５７】
また、本発明の実施形態の説明にあたり、日車の日付文字のみを取り上げて説明したが、日曜日〜土曜日の曜日表示のカレンダー窓を設けた場合も全く同じように適用できる。
【００５８】
以上、詳細に説明したように、カレンダー窓を形成する上下の横方向の二辺を、或いはまた、横方向の二辺と縦方向の外周側の一辺をある曲率の下で外側に膨らませる曲線にすることによって、文字の表示面積を広くすることができる。更にまた、横方向の二辺と縦方向の外周側の一辺を外側に膨らませ、縦方向の中心側の一辺をカレンダー窓の内側に向かって膨らませる曲線にすることによって更に表示面積を広くすることができる。このことは、文字そのものを大きくすることができ、視認性を高める効果が得られる。また、窓の内周壁に段部を設けるとか傾斜面を設けるとかの方法によって文字の表示面が良く見えるようになり、文字の輪郭などがはっきり見えるようになる。このことは、視認性を高める効果も生む。
【００５９】
また、カレンダー窓の窓枠を設けて外観的品質価値を高めたり、高級感を持たせたりすることも可能となる。更にまた、デザインのバリエーションを非常に豊富にすることができる。
【００６０】
本発明によって、従来の課題となっていた文字の視認性を高めること、文字を大きくすること、汎用性のあるデザインを得ること、の問題を解決することができる。
【００６１】
【発明の効果】
以上、詳細に説明したように、本発明の下では、日付文字などの文字自体を大きくすることができ、視認性を高めることができる。また、文字周りの表示面積を大きくして文字の輪郭がはっきり見えるようにしている。このことによっても視認性を高める効果を生んでいる。また、汎用性のあるデザインバリエーションを豊富に増やす効果も生んでいる。
【図面の簡単な説明】
【図１】本発明の第１実施形態に係るカレンダー時計の平面図である。
【図２】図１におけるカレンダー窓部分の拡大平面図（（ａ）図）と、その断面図（（ｂ）図）である。
【図３】図２における窓枠の他の形状を示す断面図である。
【図４】本発明の第２実施形態に係るカレンダー時計のカレンダー窓部分の拡大平面図（（ａ）図）と、その断面図（（ｂ）図）である。
【図５】図４におけるカリンダー窓の透視図である。
【図６】本発明の第３実施形態に係るカレンダー時計のカレンダー窓部分の拡大平面図（（ａ）図）と、その断面図（（ｂ）図）である。
【図７】図６におけるカレンダー窓の透視図である。
【図８】従来のカレンダー時計のカレンダー窓部分の透視図である。
【符号の説明】
２０    カレンダー時計
２１    ケース
２２    指針
２３    リューズ
２４、３４、４４    文字板
２５    指標
２６、３６、４６    カレンダー窓
２６ａ、３６ａ、４６ａ  横方向の辺
２６ｂ、３６ｂ、４６ｂ  横方向の辺
２６ｃ、３６ｃ、４６ｃ  文字板の中心側の辺
２６ｄ、３６ｄ、４６ｄ  文字板の外周側の辺
２８    日車
２８ａ  日車の外径
２８ｂ  日車の歯元径
２８ｃ  日車の歯
２９    日付文字
ｒ１、ｒ２、ｒ３  曲率半径
【図１】
2004279381.tif 000003
【図２】
2004279381.tif 000004
【図３】
2004279381.tif 000005
【図４】
2004279381.tif 000006
【図５】
2004279381.tif 000007
【図６】
2004279381.tif 000008
【図７】
2004279381.tif 000009
【図８】
2004279381.tif 000010